(57)【要約】【課題】竪樋の外側面から突出する部分を極力減らしつつ、しかも施工性を向上させる竪樋用アンテナを提供する。【解決手段】本発明の竪樋用アンテナは、竪樋の外側面に沿うように形成された筒状部により構成されたものである。筒状部が、当該筒状部の周方向の一部を構成し且つアンテナ部を有する第１の半体と、前記筒状部の周方向のその他の部分を構成し、且つ一方の端部が第１の半体の一方の端部に枢支されると共に他方の端部が第１の半体の他方の端部に係止される第２の半体とを備えている。【選択図】図１
2013009034.tif 000002
【特許請求の範囲】
【請求項１】
竪樋の外側面に沿うように形成された筒状部により構成されたものであり、
この筒状部が、
当該筒状部の周方向の一部を構成し且つアンテナ部を有する第１の半体と、
前記筒状部の周方向のその他の部分を構成し、且つ一方の端部が第１の半体の一方の端部に枢支されると共に他方の端部が第１の半体の他方の端部に係止される第２の半体と
を備えている
ことを特徴とする竪樋用アンテナ。
【請求項２】
前記第２の半体が、竪樋控え具を通すための切欠部を有している
ことを特徴とする請求項１記載の竪樋用アンテナ。
【請求項３】
前記第２の半体が、周方向に筋状に形成され且つ上下方向に並設された複数の薄肉部を有している
ことを特徴とする請求項１又は請求項２のいずれかに記載の竪樋用アンテナ。
【発明の詳細な説明】
【技術分野】
【０００１】
本発明は、竪樋の外側面に装着される竪樋用アンテナに関する。
【背景技術】
【０００２】
従来、竪樋の外側面に装着される竪樋用アンテナが知られている（例えば特許文献１参照）。
【０００３】
この特許文献１記載の雨樋アンテナは、雨樋の外側面に取り付けられる折返し部と、この折返し部から側方に突出した給電部とを備えている。この雨樋アンテナは、２つのアンテナ素体により構成されている。アンテナ素体は、外縁部の略全長に亘って鍔が形成されており、この鍔が、対向配置されたもう一方のアンテナ素体の鍔と重ね合わせられた状態で、ねじ具を介して連結される。
【先行技術文献】
【特許文献】
【０００４】
【特許文献１】特開平０１−１６８１０１号公報
【発明の概要】
【発明が解決しようとする課題】
【０００５】
ところでこの特許文献１記載の雨樋アンテナは、上述したように、給電部が側方に大きく突出しており、その上、給電部及び折返し部の外縁から鍔が突出している。
【０００６】
このため、特許文献１記載の雨樋アンテナは、竪樋に装着されると、給電部及び鍔が竪樋の外側面から左右両側に大きく突出し、外観を大きく害するだけでなく、施工者が施工時等に誤って足を引っ掛けてしまうおそれがあった。
【０００７】
しかもこの特許文献１記載の雨樋アンテナは、２つのアンテナ素体をねじ具を介して結合する構造であり、ねじ具の締め付け作業を何度も繰り返し行なう必要があって、施工性が悪い。
【０００８】
本発明は、上記事情に鑑みてなされたものであり、その目的とするところは、竪樋の外側面から突出する部分を極力減らしつつ、しかも施工性を向上させる竪樋用アンテナを提供することにある。
【課題を解決するための手段】
【０００９】
本発明の竪樋用アンテナは、竪樋の外側面に沿うように形成された筒状部により構成されたものであり、この筒状部が、当該筒状部の周方向の一部を構成し且つアンテナ部を有する第１の半体と、前記筒状部の周方向のその他の部分を構成し、且つ一方の端部が第１の半体の一方の端部に枢支されると共に他方の端部が第１の半体の他方の端部に係止される第２の半体とを備えていることを特徴とする。
【００１０】
またこの竪樋用アンテナにおいて、前記第２の半体が、竪樋控え具を通すための切欠部を有していることが好ましい。
【００１１】
またこの竪樋用アンテナにおいて、前記第２の半体が、周方向に筋状に形成され且つ上下方向に並設された複数の薄肉部を有していることが好ましい。
【発明の効果】
【００１２】
本発明の竪樋用アンテナによれば、竪樋の外側面から突出する部分を極力減らしつつ、しかも施工性を向上させることができる。
【図面の簡単な説明】
【００１３】
【図１】本実施形態の竪樋用アンテナの正面側から見た斜視図である。
【図２】本実施形態の竪樋用アンテナの背面側から見た斜視図である。
【図３】本実施形態の竪樋用アンテナを竪樋に取り付ける直前の斜視図である。
【図４】本実施形態の竪樋用アンテナを取り付けた状態を示し（ａ）は一部破断した側面図であり（ｂ）は水平断面図である。
【図５】本実施形態の竪樋用アンテナを取り付けた状態を示し（ａ）は一部破断した側面図であり（ｂ）は水平断面図である。
【図６】図４及び図５のＡ部の拡大図である。
【発明を実施するための形態】
【００１４】
以下、本発明の実施形態について添付図面に基づいて説明する。
【００１５】
本実施形態の竪樋用アンテナ１は、図４，５に示されるように、竪樋６の外側面に沿うように取り付けられる。本実施形態の竪樋６は、非導電性の合成樹脂からなる円筒状の丸樋により構成されている。竪樋用アンテナ１は、この竪樋６の外周面に沿うような形状の筒状部２により構成されている。
【００１６】
竪樋用アンテナ１を構成する筒状部２は、図１に示されるように、上下端が開口する筒型に形成されている。筒状部２は、その内周面が竪樋６の外側面に沿った形状となっていると共に、その肉厚が上下方向に略一様となった円筒形状となっている。本実施形態の筒状部２は、非導電性の合成樹脂により構成されている。筒状部２は、アンテナ部４を有する第１の半体３と、この第１の半体３に回動自在に連結された第２の半体５とにより構成されている。
【００１７】
アンテナ部４は、金属板材（金属箔も含まれる）により構成されており、第１の半体３に埋設又は積層される。本実施形態のアンテナ部４は、合成樹脂からなる第１の半体３の厚み内に、埋め込まれた状態で一体化している。本実施形態のアンテナ部４は、断面略Ｃ字状の導電性部材により構成されており、縦長矩形状の金属板材を短辺方向がＣ字状となるよう長辺方向に一様に湾曲させることで形成される。
【００１８】
このアンテナ部４は、上下方向に複数のスロット４１が形成されたスロットアンテナにより構成されている。アンテナ部４は、このスロット４１が上下方向に複数並設されており（本実施形態では２つ）、隣接するスロット４１同士が細溝４６で接続されている。各スロット４１は、三角形の頂点を互いに突き合わせたようなボウタイ形状に形成されている。スロット４１は、上下方向の略中央部分に給電部４２を有している。本実施形態の給電部４２は、周方向に対向する三角状片４３の頂点部分により構成されている。
【００１９】
なお給電部４２には、同軸ケーブル（図示せず）が電気的に接続される。同軸ケーブルは、中央の線が一方の三角状片４３に接続され且つ外側の網線が他方の三角状片４３に接続される。同軸ケーブルは、アンテナ部４により受信した電波を、室内側のテレビ等に送るための伝送路となる。
【００２０】
アンテナ部４は、第一の周波数帯（例えば４７３〜６００ＭＨｚ）の電波を受信する第一の受信部４４と、第二の周波数帯（例えば６００〜７２０ＭＨｚ）の電波を受信する第二の受信部４５を有している。
【００２１】
第一の受信部４４は、スロット４１及び当該スロット４１の周縁部により構成される。第二の受信部４５は、このスロット４１に対し上下方向に隣接する周方向に連続した金属板材部分により構成される。
【００２２】
第一の受信部４４を構成するスロット４１の上下方向の長さは、前記第一の周波数帯内の電波の電気的な半波長の長さに応じて決定される。また、第二の受信部４５の周方向の長さは、前記第二の周波数帯内の電波の電気的な半波長の長さに応じて決定される。
【００２３】
第１の半体３は、上記のようなアンテナ部４を内蔵しており、当該アンテナ部４をモールド成形やインサート成形等により一体化した構造となっている。第１の半体３は、筒状部２の周方向の一部を構成するものであり、一側方（全周のうちの一部）に開口部を有することで断面略Ｃ字状となっている。この開口部により第１の半体３は、竪樋６に対し側方から装着可能に構成されている。第１の半体３は、図２に示されるように、周方向の一方の端部（第一端３１）に軸受部３３が形成されており、その反対側に位置する他方の端部（第二端３２）に係止部３４が形成されている。本実施形態の係止部３４は、内側面に設けられており、外側からは見えにくい部分に形成されている。
【００２４】
第２の半体５は、第１の半体３の側方に開口する開口部に配設されるものであり、筒状部２における第１の半体３で構成された部分以外の部分を構成する。第２の半体５は、周方向の一方の端部（第一端５１）に軸部５４が形成されており、他方の端部（第二端５２）に第１の半体３の係止部３４に係合する被係止部５３が設けられている。第２の半体５は、軸部５４及び軸受部３３からなる枢支部を介して、第１の半体３に回動自在に枢支されている。
【００２５】
第２の半体５は、竪樋用アンテナ１が竪樋６に装着されると、当該竪樋６の背部に位置するようになっている。第２の半体５は、その内側面に、図６に示されるような、周方向に筋状に形成され且つ上下方向に並設された複数の薄肉部５５を有している。しかも第２の半体５は、この薄肉部５５が上下方向に一定のピッチで並設されている。薄肉部５５は、竪樋控え具７に竪樋６を装着した状態でも第２の半体５を設置できるよう、切欠部５６を形成するために設けられている。第２の半体５は、この薄肉部５５により、切断が容易となるだけでなく、きれいな切断面を形成することができる。
【００２６】
以上のような構成の竪樋用アンテナ１は、図３に示されるように、竪樋控え具７を介して建物の外壁に固設された竪樋６に着脱自在に取り付けられる。
【００２７】
竪樋控え具７は、外壁に固定されて、竪樋６を保持する。竪樋控え具７は、竪樋６に沿って上下方向に離間して複数並設されている。竪樋控え具７は、竪樋６の外周部を保持する竪樋保持部７１と、竪樋保持部７１を外壁に固定するための固定部７２と、竪樋保持部７１と固定部７２とを連結する連結部７３とを備えている。
【００２８】
竪樋保持部７１は、一対の平面視略Ｃ字状の保持部半体の開放端同士を互いに付き合わせた構造となっている。竪樋保持部７１は、保持部半体の一端部同士が回動自在に連結されており、保持部半体の他端部同士が係脱自在に係合するよう構成されている。
【００２９】
竪樋用アンテナ１は、外壁に固設された竪樋６に、後付け的に取り付けられる。なお竪樋６は、設置されてから長期間経過した既設の竪樋６であってもよいし、新しく施工された竪樋６であってもよい。
【００３０】
まず、上下方向に離設された竪樋控え具７の間に、本実施形態の竪樋用アンテナ１を取り付ける場合につき説明する。
【００３１】
施工者は、本実施形態の竪樋用アンテナ１につき、第１の半体３と第２の半体５との係合状態を解除する。この状態で、第１の半体３の開口部を竪樋６の外側面に当接し、さらに第１の半体３を竪樋６側に押し込む。すると第１の半体３は、開口部を拡げるようにして弾性変形する。この後、開口部内を竪樋６が通過すると、第１の半体３は弾性的に復元して竪樋６に装着される。
【００３２】
次いで、施工者は、竪樋用アンテナ１の受信方向（スロット４１が形成された位置）を、最も電波を強く受信できる方向に向ける。この状態を保持したまま、第２の半体５を回動させ、被係止部５３を第１の半体３の係止部３４に係合させる。すると竪樋６は、第１の半体３と第２の半体５とによって挟圧される。これにより竪樋用アンテナ１は、竪樋６に強固に固定される。
【００３３】
このとき本実施形態の竪樋用アンテナ１は、竪樋６における上下方向の任意の位置に取り付けられるが、図４に示されるように、その下端部が、竪樋控え具７に当接するよう配置されるのが好ましい。これにより、竪樋用アンテナ１の下端が竪樋控え具７に支持されるため、一層、竪樋用アンテナ１が下方にずれ落ちるのを防止でき、安定して電波を受信することができるようになる。
【００３４】
次に、竪樋控え具７を跨いで、本実施形態の竪樋用アンテナ１を取り付ける場合につき説明する。
【００３５】
施工者は、第２の半体５の竪樋控え具７に対応する部位を切除して切欠部５６を形成する。このとき、施工者は、周方向に筋状に形成され且つ上下方向に並設された複数の薄肉部５５（図６参照）に沿って、第２の半体５を切断することができる。切欠部５６の形状は特に限られないが、例えば、薄肉部５５に沿って周方向に二箇所平行に切り込み、その後上下方向に切断して、回動側の端縁に向けて開口した横向き略Ｕ字状の切欠部５６とすることができる。
【００３６】
この後、施工者は、第１の半体３を竪樋６の側方から押し込み、当該第１の半体３を竪樋６に装着する。この状態で第２の半体５を回動させ、被係止部５３を第１の半体３の係止部３４に係合させる。
【００３７】
このとき、切欠部５６の上端縁が、竪樋控え具７に当接するよう竪樋用アンテナ１を配置するのが好ましい。これにより、切欠部５６の上端縁が竪樋控え具７に支持されるため、竪樋用アンテナ１が下方にずれ落ちるのを防止でき、安定して電波を受信することができるようになる。
【００３８】
なお切欠部５６は、上記のように施工時に施工者によって形成されるものであってもよいし、あるいは、工場出荷時から予め形成されていてもよい。
【００３９】
このように本実施形態の竪樋用アンテナ１は、筒状部２により構成されているため、竪樋６に装着されても当該竪樋６の外側面から外方に突出する部分が少ない。このため、竪樋６に竪樋用アンテナ１が取り付けられたとしても、施工者が竪樋用アンテナ１に足や服などを引っ掛けてしまうのを防ぐことができる。また、竪樋用アンテナ１が取り付けられていても、当該竪樋用アンテナ１が目立たなく、外観を害することを防ぐことができる。
【００４０】
また本実施形態の竪樋用アンテナ１は、第１の半体３と第２の半体５とが回動自在となっており、これらは係止することで固定されるため、施工者は何度も繰り返しねじ具を旋回させる必要がなく、施工が容易であり、施工性を向上させる。
【００４１】
本実施形態の竪樋用アンテナ１は、第２の半体５が薄肉部５５を有しているため、施工者が第２の半体５の一部を容易に切断することができる。このため施工者は、現場の施工状態に応じて、容易に切欠部５６を形成することができ、施工性が向上する。
【００４２】
また、切欠部５６が設けられた竪樋用アンテナ１は、竪樋控え具７に跨って設置することができるため、竪樋控え具７の取り付け位置に拘らず、任意の位置に設置可能となっている。これにより、電波を最大に受信可能な最適な位置に竪樋用アンテナ１を配置することができる。
【００４３】
しかも、本実施形態の竪樋用アンテナ１は、円筒状の竪樋６に取り付けられるものであるため、水平方向の受信方向を、容易に調整することができる。
【００４４】
また、本実施形態の竪樋用アンテナ１は、第１の半体３の係止部３４が内側面に設けられており、第２の半体５の被係止部５３が、第１の半体３の内側面に隠れるように係止されるため、係合部分が露出せず、外観を害するのを防ぐことができる。
【００４５】
なお、本実施形態の竪樋用アンテナ１は、円筒状の竪樋６に取り付けられるものであったが、本発明の竪樋用アンテナは、角筒状の竪樋に装着されるものであってもよく、この点限定されない。
【符号の説明】
【００４６】
１      竪樋用アンテナ
２      筒状部
３      第１の半体
３３    軸受部
３４    係止部
４      アンテナ部
４１    スロット
４２    給電部
４３    三角状片
４４    第一の受信部
４５    第二の受信部
４６    細溝
５      第２の半体
５３    被係止部
５４    軸部
５５    薄肉部
５６    切欠部
６      竪樋
７      竪樋控え具
７１    樋保持部
７２    固定部
７３    連結部
【図１】
2013009034.tif 000003
【図２】
2013009034.tif 000004
【図３】
2013009034.tif 000005
【図４】
2013009034.tif 000006
【図５】
2013009034.tif 000007
【図６】
2013009034.tif 000008